(57)【特許請求の範囲】
【請求項１】
プロセスモニタカメラから得た像データを同期化する方法において、
―プロセスにおける移動対象物の種々の位置が種々のカメラ（１）を使用して像形成され、
―種々のカメラ位置からの像データ（２ｄ1−２ｄn）がカメラ毎にデジタル像プロセッサ（２）内に記憶され、
―種々のカメラ位置から得られる記憶された像が操作者のコンピュータ（１５）のスクリーン（１１）において表示および分析のために選択され、
―種々のカメラ位置から得られた像データ（２ｄ1−２ｄn）から同期化手段（１２、１３、１４）を使用して前記移動対象物における同じ領域を示す像（２ｔ，２Ｓ1−２Ｓ3）が探索され、前記カメラ間の距離を表す第１パラメータと前記移動対象物の速度を表す第２パラメータとを同期化探索のために使用する方法において、
スクリーン上の像が一方のカメラ位置から他方のカメラ位置に変更されると、前記スクリーン（１１）へ持って来られる限定された数の順次の像、すなわち前記領域内の像（２Ｓ1−２Ｓ3）を示す選択領域（１０、１０′）が操作者に可視化され、前記選択領域（１０）の大きさ、すなわち該領域に含まれる像の数が、異なるカメラ位置の選択領域から前記移動対象物の同一点の像が見つけられる前記第１及び第２パラメータによって決まることを特徴とするプロセスモニタカメラから得た像データを同期化する方法。
【請求項２】
前記モニタされている移動対象物が紙のウェブであることを特徴とする請求項１に記載の方法。
【請求項３】
カメラ特定像データが分析され、複数の順次の像の変動レベルに基づく像変動データが集計され、分析すべき像の先行および後続の像の像変動データに対応する像変動グラフ（８）がスクリーン（１１）に表示されることを特徴とする請求項１または２に記載の方法。
【請求項４】
種々のカメラ位置の像変動データの出力レベルが相互に比較しうるように画一化され、種々のカメラ位置の画一化された像変動レベルが比較され、最高レベルの変動を示すカメラ位置の像データ（２ｄ1−２ｄn）が自動的に表示されるように選択されることを特徴とする請求項１から３までのいずれか1項に記載の方法。
【発明の詳細な説明】
【０００１】
【発明の属する技術分野】
本発明の目的はプロセスモニタカメラから取得した像データを同期化する方法であって、
―プロセスにおける種々の位置が種々のカメラ（１）を使用して像形成され、
―種々のカメラ位置からの像データ（２ｄ1−２ｄn）がカメラ毎にデジタル像プロセッサ（２）内に記憶され、
―種々のカメラ位置で記憶された像が操作者のコンピュータ（１５）のスクリーン（１１）上で表示および分析のために選択され、
―種々のカメラ位置において得られた像データ（２ｄ1−２ｄn）から、同期化手段（１２、１３、１４）を使用することによりウェブ内の同じ領域を示す像（２ｔ，２Ｓ1−２Ｓ3）が探索される方法において、
各カメラ位置の同期化点（９、９′）の環境における限定した数の順次の像に対応する選択した領域（１０）が操作者にとって可視化されることを特徴とするプロセスモニタカメラから得た像データを同期化する方法を提供することである。
【０００２】
【従来の技術】
操作者が特定のカメラ位置の像の間で関心のある対象物を見つけると、操作者は同期化を利用することにより、それが他のカメラ位置を通過するとき紙のウェブに同じ領域を見つけることが出来る。この型式の同期化は長きにわたり本出願人による操作方法の特徴であった。しかしながら、そのような同期化の使用にはある問題すなわち欠点を伴う。ウェブが高速で、かつ延伸するため、同期化が生じる新規な位置において対応の領域を必然的に示すように同期化が正確であることは不可能である。例えば機械の乾燥端に障害があり、モニタ装置の操作者が当該機械の湿潤端にウェブに同じ領域を探索する場合、操作者は、対象物が同期化の結果として表示されるビデオ記録領域に位置するか否か絶対的に確信出来ず、その場合、操作者は探索を中止することがあり得る。
【０００３】
【発明が解決しようとする課題】
本発明の目的は、ウェブの所望の同じ領域がその内部で見出し得る可視領域の中間に自動的に操作者が到達することを確実に知るようにされた改良された同期化方法を提供することである。従って、概念としてはパラメータ化可能なサイズの順次の像の領域を操作者に調べさせるようにすることである。そのような場合、種々のカメラ位置においてウェブ内の対応の領域がより安定して、かつ容易に見出される。
【０００４】
【課題を解決するための手段】
本発明に関わる方法の特徴が特許請求の範囲の請求項１および２に記載されている。従属項が本発明の好適実施例を開示している。
【０００５】
本発明の実施例を添付図面を参照して以下説明する。
【０００６】
本発明による装置の全体的な構造と作動が、同期化される順次の像の領域を操作者に対して可視化する本発明による方法を開示する前に先ず述べられる。
【０００７】
【発明の実施の形態】
図１に示すフローチャートにおいて、像の源はモニタされる対象物の連続したビデオ像を発生させるビデオカメラ１である。像データはデジタル信号プロセッサ２すなわちＤＳＰプロセッサにおいて処理される。信号プロセッサは通常のマイクロプロセッサと類似であるが、とりわけ浮動小数点数技術およびより容易なアドレス指定のためのアドレスフォーマットの使用を含む。更に、ＤＳＰはそのアーキテクチュアに関して通常のプロセッサと顕著に相違し、大量のデータを含み、整数による乗算およびデータ転送が統計的に重要な作業であるデユーテイ用に設計されている。ＤＳＰプロセッサは像分析に関連した複数の種々の、同時の計算ルーチンを実行することが可能で、その結果は像データの変動をモニタすることに自動的に適用可能である。
【０００８】
本装置はモニタされるプロセスの種々の位置を像形成する数個のビデオカメラ１を含む。各カメラは、カメラ毎にデジタル像データを記憶する専用のデジタル像プロセッサ２を備えている。複数の順次の像の変動レベルに基づいて像の変動データを提供するように各カメラの特定の像データ項目を分析する信号プロセッサ２が使用される。信号プロセッサ２から前記像データと像変動データとがデイスプレイ１１を有する分析コンピュータ１５に送られる。
【０００９】
種々のカメラ位置に記憶された像はセレクタアイコン７によって分析のために選択可能である。分析すべき像に先行および後続するデータの像変動データに対応する像変動グラフ８がスクリーン１１の下の部分に表示される。参照番号９で指示する浮動矢印は表示された像６が位置している像変動グラフ８上の点を指示する。浮動矢印９は表示のためにグラフ８上の任意の点において像を選択するために使用可能である。各カメラの位置１―ｎから記憶された像データ２ｄ1−２ｄnは数百の像を含んでいてよい。プロセスに応じて、毎回記憶された像データは数秒から数分の範囲の持続時間があり、記憶装置はＦＩＦＯ（先入れ先出し）法に基づいて機能しうる。
【００１０】
スクリーン１１の下の部分に示される各像変動グラフ８はそれぞれ各カメラ位置からの像資料で用意されているので、種々のカメラ位置の像変動グラフは比較可能なように標準化でき、かつ相互に比較できる、それにより最高レベルの変動を示す像変動グラフとそれに対応するカメラ位置の像データとはスクリーン１１の分析ウインドウにおける表示のために自動的に選択可能である。この自動化のために、本装置は相互に比較可能な種々のカメラ位置の像変動データの出力レベルを標準化する標準化手段３を備えている。種々のカメラ位置の標準化された像変動レベルの間の比較は比較手段４によって実行される。選択手段５は種々のカメラ位置から像データを受け取り、比較手段４の制御下で、最高レベルの変動を示す像データ２ｄ1−２ｄnとスクリーン１１上に表示すべき対応の像変動グラフ８とを選択する。像６は像データに含まれる多数の像のうちの１つである。最高レベルの像変動領域に関連したこれらの像６を検査するにグラフ８と浮動インジケータ９とが使用可能である。スクリーン１１上の像６は、例えば紙のウェブに形成された孔を示してよい。
【００１１】
前述した像６の自動的な選択は任意であることは明らかであり、操作者が希望に応じて分析のために任意のカメラ位置から像データ２ｄ1―２ｄnを選択しうる。しかしながら、ちょうど分析の最初に何れのカメラ位置が最高レベルの像変動を生じたかを操作者が知るのが有用であることが多く、その場合、分析はその特定のカメラ位置から開始することができる。
【００１２】
操作者によるデータ処理手段１５は同期化手段１２、１３、１４を含み、それによってウェブにおける同じ領域を示す像が種々のカメラ位置の像データから自動的に探索可能である。同期化手段１２がスクリーン１１に表示されると、同期化ユニット１３は、セレクタアイコン７によるカメラ位置の選択が先行のカメラ位置の像６と同じ紙ウェブにおける領域に対応する像６をスクリーン１１上に自動的に表示するように、像データ選択装置５を制御する。このために、同期化ユニット１３は、少なくともウェブ速度と、カメラ１間の距離とを含む幾つかのパラメータ１４を必要とする。同期化ユニット１３は、興味のある対象物がカメラ位置の像フィールドで観察されたときの発生時間２ｔも与えられ、ウェブ領域は種々のカメラ位置から分析する必要のあるものに対応する。
【００１３】
図２はカメラnの像データ２ｄnにおける時点２ｔにおいて生じた像における、例えばサイズプレスにある孔を示す。発生時間およびその他のパラメータのデータに基づいて、同期化ユニット１３は、同じ孔が現れる像データ２ｄ1―２ｄ3における像２Ｓ1―２Ｓ3を単純な計算により検出することが可能である。しかしながら、同期化の精度はウェブの高速および延伸のために極めて高くはなり得ず、かくて本発明において、操作者にとって可視化され、ウェブにおける対応の個所が確実に見出される、一定幅のマーカ１０、１０′が特定される。このように、各カメラ位置の同期化点９、９′の環境において、選択領域１０が操作者にとって可視化され、該領域内に限定された数の順次の像があり、該像のうちに対応の点が確実に見出される。前記限定された数は、ウェブの速度やカメラ位置の間の距離のようなパラメータによって決定される最小数であるのが好ましい。このマーカ領域１０は種々のカメラ位置における対応の点を探索する動悸を操作者に与える。従って、選択領域１０のサイズ、すなわち該領域に含まれる像の数はウェブの速度およびカメラの間の距離とによって決まる。
【図面の簡単な説明】
【図１】本発明による同期化方法を実行するために使用する装置をフローチャートとして示す図である。
【図２】種々のカメラ位置からの像データに基づく同期化の実行を示す図である。
【符号の説明】
１  ビデオカメラ
２  信号デジタルプロセッサ
４  比較手段
５  選択手段
６  像
７  セレクタアイコン
８  像変動グラフ
１０  カメラ領域
１１  スクリーン
１２  同期化手段
１３  同期化装置
１４  パラメータ
１５  分析コンピュータ
【図１】
0004410376.tif 000002
【図２】
0004410376.tif 000003